(57)【特許請求の範囲】
【請求項１】
ポスター上に構成されたアンケートに応じた所与の検出を行う検知器と、
前記検知器で検知した信号を記憶する記憶媒体又は前記検知器で検知した信号を送信する送信装置と、
前記検知器、前記記憶媒体及び前記送信装置のうち電力が必要なところに電力を供給する二次電池と、
前記二次電池を充電する太陽電池と、
を備え、
前記検知器が設けられた面又は当該検知器によって検知を行う面と、前記太陽電池の受光面と、が同一面に形成されており、
前記検知器、前記記憶媒体又は送信装置、前記二次電池及び前記太陽電池が一体的に形成され、
前記受光面と反対の面がポスターの所定の位置に接着される、ことを特徴とするアンケート集計用検知システム。
【請求項２】
前記検知器が、生物検知センサ、タッチセンサ、及び、ボタン式スイッチから選ばれる検知器である、請求項１に記載の検知システム。
【請求項３】
前記記憶媒体又は前記送信装置は、前記検出器で検知した信号を時刻とともに記憶又は送信する、請求項１又は２に記載のアンケート集計用検知システム。
【請求項４】
前記記憶媒体がフラッシュメモリである、請求項１〜３のいずれか１項に記載のアンケート集計用検知システム。
【請求項５】
前記太陽電池が色素増感型太陽電池である、請求項１〜４のいずれか１項に記載のアンケート集計用検知システム。
【発明の詳細な説明】
【技術分野】
【０００１】
本発明は、生物検知センサ等の検知器で人又は動物を検知し、その電力を太陽電池と二次電池で供給する省エネルギー型の検知システム及び検知装置に関する。
【背景技術】
【０００２】
特許文献１には、顧客が商品を購入しなくてもどういった商品を手に取ったり、戻したりしたかというデータを取得するためのデータ取得装置が提案されている。この装置は、商品に人が近付いたことを検知する人感センサと、人感センサにより人を検知したタイミングで所定のエリア内の商品を特定するデータを読み取るデータ読取手段と、データ読取手段により読み取ったデータを保存するデータ保存テーブルと、データ保存テーブルに保存されたデータと、データ読取手段により新たに読み取ったデータとを比較するデータ比較手段と、データ比較手段による比較結果に基づいて商品の状態を保存する商品状態保存手段とで構成されている。
【０００３】
また、特許文献２には、人数計測機能付の広告表示装置が提案されている。この装置は、店頭宣伝用表示装置の映像再生部のＣＰＵが広告宣伝映像を再生しながら人感センサから入力される信号をカウントし、カウントした人数を時間・日毎にメモリ部分に記録していくことで、１つのＣＰＵで映像再生と人数カウントの２つの処理を行うことができるとされている。
【０００４】
また、特許文献３には、外部電源による補充電を行う保守作業が不要となると共に、設置場所の制限や移動の制限を受けない電子ポスターシステムが提案されている。このシステムは、サーバ装置と、複数の表示装置とから構成され、そのサーバ装置は、駅舎などに設置され、表示用データを無線通信により送信するものであり、表示装置は、駅全域の掲示板や外壁などの従来の紙のポスターを用いた広告と同様の位置に自由に設置されるものであり、また、事故情報などの緊急表示などは、駅施設内で自由に追加設置できると共に移動も可能なものである。そして、表示装置は、サーバ装置に無線接続され、同サーバ装置から送信された表示用データを受信して画面表示する機能を有し、太陽電池の起電力により動作するというものである。
【０００５】
このように、特許文献１，２では、人感センサで感知した信号を取得し、その信号を保存するとともにその信号を利用し又は表示する技術が提案されており、特許文献３では、電子ポスターシステムが備える表示装置への電力を太陽電池から供給できることが提案されている。
【先行技術文献】
【特許文献】
【０００６】
【特許文献１】特開２００６−２５９８００号公報
【特許文献２】特開２０１０−９７１５４号公報
【特許文献３】特開２００９−２１０９４８号公報
【発明の概要】
【発明が解決しようとする課題】
【０００７】
特許文献１，２の装置のように、人感センサを用いて商品に反応した人の動作を検知したり、店頭広告に反応した人の数を検知したりする等の技術が提案されているが、こうした装置は非常に大掛かりなシステムとなっていた。また、その装置に供給する電力は、コンセント等から確保しており、設置場所が限られていた。
【０００８】
本発明は、上記課題を解決するためになされたものであって、その目的は、低コストで設置場所を問わず、簡易的な計測や簡易的な設置が可能な省エネルギー型の検知システム及び検知装置を提供することにある。
【課題を解決するための手段】
【０００９】
上記課題を解決するための本発明に係る検知システムは、検知器と、前記検知器で検知した信号を記憶する記憶媒体又は前記検知器で検知した信号を送信する送信装置と、前記検知器、前記記憶媒体及び前記送信装置のうち電力が必要なところに電力を供給する二次電池と、前記二次電池を充電する太陽電池と、を備えることを特徴とする。
【００１０】
この発明によれば、太陽電池と二次電池を備えるので、固定電源から電源を確保する必要がなく、設置場所を問わない省エネルギー型の検知システムを提供できる。また、検知した信号の記憶媒体又は送信装置を備え、その信号から得られた情報の解析装置等の複雑な装置を備えないでの、装置全体を小型化できる低コストで簡易的な検知システムを提供できる。
【００１１】
本発明に係る検知システムにおいて、前記検知器が、生物検知センサ、タッチセンサ及びボタン式スイッチから選ばれる検知器であるように構成する。
【００１２】
この発明によれば、生物検知センサ、タッチセンサ及びボタン式スイッチから選ばれる検知器を用いるので、計測目的及び計測対象に応じた簡易型の検知システムを低コストで提供することができる。
【００１３】
本発明に係る検知システムにおいて、前記記憶媒体又は前記送信装置は、前記検出器で検知した信号を時刻とともに記憶又は送信するように構成する。
【００１４】
この発明によれば、例えば、検知器で検知した検知信号を時刻とともにできるので、どのような時間帯にどの程度の計測対象を検知したかを統計情報として取得することができる。その結果、この検知システムから得られた情報から、その後の対応にフィードバックすることができる。
【００１５】
本発明に係る検知システムにおいて、前記記憶媒体がフラッシュメモリであるように構成する。
【００１６】
この発明によれば、記憶媒体として不揮発性の半導体メモリであるフラッシュメモリを備えるので、取得した情報をそのフラッシュメモリに記憶し、その後に取りだし又は送信を行うことができる。
【００１７】
本発明に係る検知システムにおいて、前記太陽電池が色素増感型太陽電池であるように構成する。
【００１８】
この発明によれば、各種の太陽電池を適用できるが、特に色素増感型太陽電池は低照度での利用が可能であるので好ましく適用できる。
【００１９】
上記課題を解決するため本発明に係る検知装置は、検知器と、前記検知器で検知した信号を記憶する記憶媒体又は前記検知器で検知した信号を送信する送信装置と、前記検知器、前記記憶媒体及び前記送信装置のうち電力が必要なところに電力を供給する二次電池と、前記二次電池を充電する太陽電池とを有し、それらがモジュール化してなることを特徴とする。
【００２０】
この発明によれば、太陽電池と二次電池を備えた検知装置がモジュール化されているので、固定電源から電源を確保する必要がなく、設置場所を問わないモジュール化した省エネルギー型の検知装置を提供できる。また、検知した信号の記憶媒体又は送信装置を備え、その信号から得られた情報の解析装置等の複雑な装置を備えないでの、装置全体を小型化できる。
【発明の効果】
【００２１】
本発明によれば、生物検知センサ等の検知器で検知した検知信号を時刻等とともに記憶又は送信するとともに、電力を太陽電池と二次電池で供給する設置場所を問わない検知システム及び検知装置を、低コストで、簡易的な計測や簡易的な設置が可能な省エネルギー型の検知システム及び検知装置として提供できる。
【図面の簡単な説明】
【００２２】
【図１】本発明に係る検知システムの基本構成を示す模式的な構成図である。
【図２】本発明に係る検知システムの他の基本構成を示す模式的な構成図である。
【図３】本発明に係る検知システムの第１実施形態を示す模式的な構成図である。
【図４】本発明に係る検知システムの第２実施形態を示す模式的な構成図である。
【図５】本発明に係る検知システムの第３実施形態を示す模式的な構成図である。
【図６】本発明に係る検知システムの第４実施形態を示す模式的な構成図である。
【発明を実施するための形態】
【００２３】
以下、本発明に係る検知システム及び検知装置について図面を参照しつつ説明する。なお、本発明の範囲は、以下の各実施形態に限定されるものではなく、その特徴を有する他の変形形態も含まれる。
【００２４】
［基本構成］
本発明に係る検知システム１は、図１及び図２に示すように、検知器２と、検知器２で検知した信号を記憶する記憶媒体４又は検知器２で検知した信号を送信する送信装置５と、検知器２、記憶媒体４及び送信装置５のうち電力が必要なところに電力を供給する二次電池６と、二次電池６を充電する太陽電池７と、を基本的な構成とすることに特徴がある。また、本発明に係る検知装置１１は、図５に示すように、上記した基本的な構成を一体化させてモジュール化してなることに特徴がある。なお、図１及び図２に示す検知システム１は、必要に応じて、検知器２で検知した信号を変換して記憶媒体４又は送信装置５に出力するデータ変換装置３を有していてもよい。以下、各構成について説明する。
【００２５】
（検知器）
検知器２は、計測目的や計測対象に応じて各種の検知器から選択することができる。検知器２としては、例えば、生物検知センサ、タッチセンサ、及び、ボタン式スイッチから選ばれる検知器を選択できるが、計測目的や計測対象に応じて選択されるものであれば必ずしもこれらに限定されるものではない。検出器２は、時刻を発生させるリアルタイムクロックモジュールを備えていてもよい。リアルタイムクロックモジュールで発生した時刻信号は、検知信号とともに必要に応じて設けられたデータ変換装置３等に送られ、その後記録又は送信される。検知信号を時刻とともに集計して統計化すれば、時間、日、曜日、月等のスパンで統計データに基づいた各種の対応、対策等を講じることができる。
【００２６】
生物検知センサは、例えば赤外線の量の変化を検出するセンサであり、その赤外線は体温のある動物又は人等、測定環境の温度よりも温度の高い生命体又は物体から検出できる。なお、人を対象とする生物検知センサは人感センサと呼ばれる。このとき検知する赤外線の波長は、通常、１．５μｍ以上、１４μｍ以下の範囲とされている。生物検知センサとしては、入手可能なものであれば市販品、非売品を問わず利用可能である。こうした生物検知センサは、センサの検知領域に近づいた人又は動物を検知できるので、その検知信号を時刻とともに集計して統計化すれば、時間、日、曜日、月等のスパンで統計データを取得できる。
【００２７】
生物検知センサ２は、その感度設定によって敏感にセンシングされるので、例えば単独の人又は動物が生物検知センサ２の前を通過した場合であっても複数の信号が発生して複数の人又は動物が通過したかのような場合がある。このような場合には、その複数の信号が誤信号となるので、そうした誤信号を防ぐために、タイマーＩＣによって一定時間（例えば１秒等）を設定して、その設定時間内に発生した２回目以降の信号をキャンセルすることができる。こうした手段によって、例えば生物検知センサ２の前をゆっくり横切る等した人や動物に基づいた複数の信号に因る誤検出することを防ぐことができる。
【００２８】
タッチセンサは、触れることによって検知信号を発生できるセンサである。タッチセンサとしては、省力化及び簡易化の観点からは、表示機能を持たずタッチ機能だけのポインティングデバイス（入力装置）が好ましく用いられる。こうしたタッチセンサとしては、指先で触れるタッチパッドや、磁気誘導を利用する専用のペンを用いるペンタブレット等を代表例として挙げることができる。なお、スマートホン等の表示面のタッチパッドであってもよいが、この場合は、液晶パネル等の表示装置とタッチパッド等の入力装置とを組み合わせて構成される。こうしたタッチセンサは、上記した生物検知センサとは異なり、人が積極的に操作して検知されるものであり、例えばアンケート調査や人気投票等のように複数の選択肢から任意に選択して得たデータを取得する場合に適用される。
【００２９】
ボタン式スイッチは、上記したタッチセンサと用途が同じで機能が異なるものである。ボタン式スイッチでは機械的に信号を得ることができるので、タッチセンサよりも電力消費が少なく、低コスト化の点で有利である。
【００３０】
なお、これらの検知器２は、いずれも電力を消費するものであるが、それらの電力は、太陽電池７が発生した起電力を蓄えた二次電池６から供給される。本発明の検知システム１の用途にもよるが、可能な限り省電力化を実現できるものであることが好ましい。
【００３１】
（データ変換装置）
データ変換装置３は、任意の装置であり、検知器２で検知した信号を必要に応じて変換して記憶媒体４又は送信装置５に出力するための装置である。このデータ変換装置３は、どのような検出器がどのような信号を取得し、その取得した信号をどのような記憶媒体４又は送信装置５に出力するかによって、その種類や構成が任意に選択される。具体的には、例えば上記した生物検知センサ、タッチセンサ、ボタン式スイッチ等の種類に応じて選択される。なお、データ変換装置３が検知器２内に予め設けられているものもあり、この場合には、データ変換機能を備えた検出器２ということができる。
【００３２】
このデータ変換装置３も通常は電力を消費する装置であり、データ変換装置３への電力も二次電池６から供給される。本発明の検知システム１の用途にもよるが、可能な限り省電力化を実現できるものであることが好ましい。
【００３３】
（記憶媒体）
記憶媒体４は、検出器２で検知した信号を記憶する媒体であり、通常、時刻とともに記憶するように構成される。この記憶媒体４により、時刻とともに記憶した信号を集計して統計化すれば、その統計データに基づいた各種の対応、対策等を講じることができる。
【００３４】
記憶媒体４としては、各種のものを適用できるが、不揮発性の半導体メモリであるフラッシュメモリを好ましく挙げることができる。フラッシュメモリは、待機状態時にはそれ自体で電力を消費しない不揮発メモリであるので、ＨＤＤのような回転駆動を要する二次記憶媒体に比べて、低コストで設置場所を問わず、簡易的な計測や簡易的な設置が可能な省エネルギー型の検知システムの構成に特に有利である。
【００３５】
記憶媒体４は、通常、検知システム１に予め装着されていている。記憶媒体４の記憶容量は任意であり、検知信号として記憶させるデータ容量によって任意に選択できる。こうすることにより、ＨＤＤのような回転駆動を要する二次記憶媒体に比べて、低コストで設置場所を問わない簡易的な計測や簡易的な設置が可能な省エネルギー型の検知システムを提供することができる。なお、記憶媒体４は、後述する送信装置５が設けられている場合には不要とすることもできるが、送信装置５とともに設けることもできる。
【００３６】
検知システム１には、情報を記憶又は取り出すため、ＵＳＢ端子やメモリーカード端子等を設けることが好ましい。そうした端子に接続可能なメモリとしては、例えばＵＳＢメモリ、メモリーカード、ＳＤメモリーカード、メモリースティック、スマートメディア、ｘＤピクチャーカード、コンパクトフラッシュ（登録商標）等を挙げることができる。
【００３７】
（送信装置）
送信装置５は、検出器２で検知した信号を送信する装置であり、通常、時刻とともに送信するように構成される。本発明の検知システム１は、低コストで設置場所を問わないものであることから、送信装置５としては、無線送信装置であることが好ましい。無線送信装置は各種の無線送信装置を適用できるが、定電圧で作動する省電力型の無線送信装置を選択して適用することが好ましい。この送信装置５により、信号を時刻とともに送信するので、その送信された信号を離れた位置に設置された受信装置で受信し、集計して統計化すれば、その統計データに基づいた各種の対応、対策等を講じることができる。
【００３８】
この送信装置５により、検知器２で検知した検知信号と時刻信号とを少なくとも含む情報を送信できるので、その情報を受信して解析することにより、どのような時間帯にどの程度の計測対象を検知したかを統計情報としてまとめることができる。その結果、この検知システム１から得られた情報から、その後の対応にフィードバックすることができる。なお、この送信装置５も電力を消費するが、その電力も太陽電池７が発生した起電力を蓄えた二次電池６から供給される。本発明の検知システム１の用途にもよるが、可能な限り省電力化を実現できるものであることが好ましい。
【００３９】
（二次電池）
二次電池６は、本発明に係る検知システム１を構成する機器又は装置のうち、電力が必要なものに電力を供給するように作用する。例えば、検知器２、データ変換装置３、記憶媒体４、送信装置５等の中で電力を必要とするものに蓄電した電力を供給するように作用する。なお、図１及び図２では、二次電池６から破線で各装置２〜５に繋げている。
【００４０】
二次電池６は充放電可能な電池であり、例えば、鉛蓄電池、リチウムイオン二次電池、リチウムイオンポリマー二次電池、ニッケル水素蓄電池、ニッケルカドミウム蓄電池、ニッケル鉄蓄電池、ニッケル亜鉛蓄電池、酸化銀亜鉛蓄電池等を挙げることができるが、中でも鉛蓄電池又はリチウムイオン二次電池を好ましく用いることができる。この二次電池６からの放電は、例えば、検知器２、データ変換装置３、記憶媒体４、送信装置５等の中で電力を必要とするものに電力を供給することによって行われ、この二次電池６への充電は、太陽電池７からの電力を蓄積することにより行われる。
【００４１】
（太陽電池）
太陽電池７は、光起電力効果を利用して光エネルギーを直接電力に変換する装置であり、本発明では二次電池６を充電するように作用する。適用可能な太陽電池は特に限定されず、使用環境や用途に応じて適した太陽電池を選択して用いることが好ましい。太陽電池７の例としては、シリコン系太陽電池、化合物系太陽電池、有機化合物系太陽電池のいずれであってもよいが、特に有機化合物系太陽電池のうち色素増感型太陽電池は例えば５０００ルクス以下の低照度での利用も可能なので好ましく適用できる。なお、色素増感型太陽電池は、色素の種類により吸収波長を選択できるので、所定の吸収波長に対応したものとすることも可能である。
【００４２】
太陽電池７は、複数枚のセル状の太陽電池を直列及び並列に接続して必要な電圧と電流を得られるように構成し、全体としてパネル状にしたソーラーパネル又はソーラーモジュールとして構成したものを好ましく用いることができる。また、太陽電池７は、検知システム又は検知装置と一体に設けられていてもよいし、別体で設けられていてもよい。別体で設けられている場合は、二次電池６まで電力を供給する配線を介して離れた位置に設けられる。好ましくは、太陽光を受けやすい高い位置又は南向きの位置に設けられていることが好ましい。
【００４３】
以上、本発明に係る検知システム及び検知装置は、こうした構成を基本構成として備えることにより、低コストで、設置場所を問わず、簡易的な計測や簡易的な設置が可能な省エネルギー型の検知システムとなる。具体的には、太陽電池７と二次電池６を備えるので、固定電源から電源を確保する必要がなく、設置場所を問わないという利点がある。また、検知した信号の記憶媒体４又は送信装置５を備え、その信号から得られた情報を評価し、解析する複雑な装置を備えないでの、低コストで簡易的な検知システムとなる。
【実施例】
【００４４】
以下では、具体的な例について、図３〜図６に示す各種の実施形態に基づいて説明する。
【００４５】
各実施形態に係る検知システム１は、図１及び図２の基本構成のように、検出器２である生物検知センサ（以下、符号２を用いる。）、必要に応じて設けられるデータ変換装置３、記憶媒体４又は送信装置５、二次電池６、太陽電池７で少なくとも構成されている。この形態では、生物検知センサ２で検知した信号をデータ変換装置３でデータ変換し、その変換データを記憶媒体４で蓄積させる。蓄積させたデータは、ＵＳＢコネクタ等の端子から、ＵＳＢメモリやメモリーカード等で取り出すことができる。そのＵＳＢメモリやメモリーカード等をパソコンに差し込み、パソコンでその情報を解析することができる。
【００４６】
生物検知センサ２やデータ変換装置３等を駆動させるための電力は、二次電池６から消費し、電力消費された二次電池６への電力供給は太陽電池７から行う。これにより、電源の確保や電池交換なしに、一定期間毎でのデータ取得が可能となる。こうした検知システム１を備えた一体型の検知装置１１（図５を参照）をパネル状にすれば、その検知システム１を壁や棚等に接着又は嵌め込む等の簡易的な設置により、人や調査したい場所での簡易的な調査が実現する。なお、接着には、接着剤や粘着剤をパネル状の検知装置１１の背面に設けて行うことができる。
【００４７】
なお、本発明に係る検知システム１は、一体とした検知装置１１として用いてもよいし、それぞれ別々に分割したシステムとして配置して用いるものであってもよい。例えば、図３に示すように、ポスター状やパネル状の検知システム１の場合には、太陽電池７を含めた全ての構成を一体のものとする。また、図４に示すように、生物検知センサ２を人や動物を検知できる位置に設け、太陽電池７を日差しが当たる高い位置に設ける場合には、少なくとも太陽電池７は上方の高い位置に設置し、それ以外は生物検知センサ２とともに一体化した装置８としてもよい。また、図５に示すように、それ自体独立で使用することができる一体的に小型モジュール化した検知装置１１としてもよい。また、図６に示すように、検知器２をタッチセンサ又はボタン式スイッチ等とした態様のパネルに設けたものであってもよい。
【００４８】
図３に示す実施形態は、ポスターやパネルにモジュール化した検知装置１１を貼り合わせた例であり、太陽電池７を含めた全ての構成を一体のものとしたものである。この形態では、後述する図５に示す一体化した一体型モジュールをポスターの任意の位置に接着剤や画鋲等の取付手段で装着して構成している。なお、モジュール化した検知装置１１は、図示の例では下側に設けられているが、より日差しが当たりやすい上側に設けてもよいし、左右いずれかの側に設けてもよい。こうして構成したポスター又はパネルは、その検知装置１１でポスターやパネルの前に立ち止まる人の数を時系列で統計化できるので、注目度を評価する注目度測定ツールとして利用したり、そのポスターやパネルの前を通過する人の数を時系列で統計化できるので、人の流れや通行量を調査する動線調査ツールとすることができる。なお、図３に示す形態では、送信装置５で検知器２からの信号をパソコンに送信する例を示している。
【００４９】
図４に示す実施形態は、太陽電池７を配線９で延長して別の位置に設け、太陽電池７で発電した電力を本体装置８に送電する形態である。本体装置８には、生物検知センサ２が赤外線を検知するための穴が空けられ、その穴を介して検知した赤外線によって、人又は動物が近づいたのを検知信号として取得する。なお、その穴の大きさ等によって、検知領域１０を設定でき、生物検知センサ２と穴との距離を長くすれば検知できる領域１０が狭くなって指向性が高まり、近づければ検知できる領域１０が広くなって指向性は低下するが、広く検知できるようになる。
【００５０】
なお、本体装置８の中又は外壁には、太陽電池７からの電力配線９を繋げることができるコネクタ（図示しない）が設けられていること好ましい。また、本体装置８の中には、ＵＳＢメモリやメモリーカード等を差し込める接続端子が設けられていることが好ましい。
【００５１】
太陽電池７は、図５に示すように、太陽光が当たりやすい高い位置に設けることが好ましく、さらに南向きに設けることが好ましい。このようにすることにより、日の当たりにくい場所に検知器２を設けたい場合であっても、太陽電池７を別の所に設置できるので、二次電池６に充電できる電力を供給できる。例えば、ビルの谷間やオフィス内のように、日照が不十分な場合に利用できる。また、動物（例えば、タヌキ、イノシシ、シカ等）の生態調査のために、日照が不十分な林の中に設置する場合にも、太陽電池７を日の当たる場所に設置することにより、二次電池６に電力を供給することができる。なお、色素増感型太陽電池は、色素の種類により吸収波長を選択できるので、所定の吸収波長に対応したものとすることが可能であり、用途に応じて好ましく適用できる。さらに、色素増感型太陽電池は、低照度（５０００ルクス以下）での起電力の発生も可能なので、例えば５００〜１０００ルクス程度の森や林に中に検知システム１を設置する場合にも他の種類の太陽電池よりも有利である。
【００５２】
図５に示す実施形態は、それ自体独立で使用することができる小型モジュール化した検知装置１１である。この検知装置１１は、それ自体で生物検知センサ２、必要に応じて設けられるデータ変換装置３、記憶媒体４及び／又は送信装置５、二次電池６、太陽電池７等を備えている。このような太陽電池付き一体モジュールでは、その裏面に接着層を積層し、例えば図３に示すように、ポスターの適当な位置に設置することができる。また、オフィスの人通りを調査したい場合には、それ自体を廊下の壁に設置することもできる。設置位置は、上面に近い方が太陽電池に光が当たりやすいので、電力確保としては有効であるが、センシング位置を重視して設置する必要がある。センシング位置は、対象物が人であれば人の身長を考慮して、感知しやすい位置に設置することができる。なお、図５中の符号１２はＵＳＢ端子であり、ＵＳＢメモリが差し込まれる例を示している。また、符号２は生物検知センサであり、その下の位置にデータ変換装置３、記憶媒体４、送信装置５、二次電池６等が任意に組み込まれた構成とすることができる。
【００５３】
図６に示す実施形態に示すように、検知器２をタッチセンサ又はボタン式スイッチ等とした態様のパネル形態の検知システム１としてもよい。この形態の検知システム１は、検知器２、データ変換装置３、記憶媒体４及び／又は送信装置５、二次電池６、太陽電池７で構成されたものであり、その検出器２をタッチセンサ又はボタン式スイッチ等として、例えばアンケート集計システムとして用いることができる。こうしたアンケート集計システムは、電源確保が不要で取り付けや設置が容易となり、しかも省エネルギー型であり、そのデータを集計することでアンケート集計を行うことができる。なお、従来、ポスター等の街頭アンケート集計ツールとしては、ポスター上のアンケートに回答してシールを貼り、最終的にその数を人手でカウントするというものが一般的であり、最近は携帯電話等からアンケート結果を回答する等の方法があるが、本発明に係る検知システムに比べて、簡易な回答方法ではない。
【符号の説明】
【００５４】
１  検知システム
２  検知器（センサ等）
３  データ変換装置
４  記憶媒体
５  送信装置
６  二次電池
７  太陽電池
８  送電線
９  ボックス型装置
１１  検知装置
１２  ＵＳＢコネクタ
【図１】
0005998449.tif 000002
【図２】
0005998449.tif 000003
【図３】
0005998449.tif 000004
【図４】
0005998449.tif 000005
【図５】
0005998449.tif 000006
【図６】
0005998449.tif 000007